(57)【要約】【課題】電磁誘導加熱調理器を提供する。【解決手段】調理器具を載置するトッププレート２と、トッププレートを固定支持するフレームと、トッププレートの下方に調理器具を誘導加熱する誘導加熱コイル４ａ、４ｂとを備え、トッププレート２は、個々に分割されており、分割された各トッププレートが誘導加熱コイルを含む加熱コイル４ごとに配置され、フレーム３に固定支持する構成。【選択図】図２
2010218725.tif 000002
【特許請求の範囲】
【請求項１】
調理器具を載置するトッププレートと、
前記トッププレートを固定支持するフレームと、
前記トッププレートの下方に前記調理器具を誘導加熱する誘導加熱コイルとを備え、
前記トッププレートは、個々に分割されており、分割された各トッププレートが前記誘導加熱コイルを含む加熱コイルごとに配置され、前記フレームに固定支持されていることを特徴とする電磁誘導加熱調理器。
【請求項２】
前記分割されたトッププレートは、前記フレームに設けられた凹部内に、リング状の緩衝部材を介して圧入して取り付けられていることを特徴とする請求項１記載の電磁誘導加熱調理器。
【請求項３】
前記分割されたトッププレートの上面は、前記フレームの上面より若干高くなるように形成され、
前記緩衝部材の上面は、前記分割されたトッププレートの上面と前記フレームの上面との段差寸法の間に位置するように形成されていることを特徴とする請求項１または２記載の電磁誘導加熱調理器。
【請求項４】
前記緩衝部材は、前記分割されたトッププレートの外周面と下面に接する垂直部と水平部とを有するＬ型断面のリング状に形成されていることを特徴とする請求項２または３記載の電磁誘導加熱調理器。
【請求項５】
前記フレームに、前記調理器具の外周より広い位置に、吹きこぼれ受けとなる凸部を環状に設けたことを特徴とする請求項１〜４のいずれかに記載の電磁誘導加熱調理器。
【請求項６】
前記分割されたトッププレートが、凹面状に形成されていることを特徴とする請求項１〜５のいずれかに記載の電磁誘導加熱調理器。
【発明の詳細な説明】
【技術分野】
【０００１】
本発明は、電磁誘導加熱調理器に係り、特に、トッププレートを個々に分割し、その分割されたトッププレートの形状、支持構造等に関するものである。
【背景技術】
【０００２】
従来一般に使用されている電磁誘導加熱調理器は、天面の清掃性と外観性を向上させるために、結晶化ガラス製のトッププレートとその外周部の金属製のフレームとをシリコン接着剤で接着する構造であった。また、シリコン接着剤の代わりに両面テープを用いてトッププレートとフレームとを接着接合するものも提案されている（例えば、特許文献１参照）。いずれにしても、従来のトッププレートは一枚の大きな結晶化ガラス板を備えるものであった。
【先行技術文献】
【特許文献】
【０００３】
【特許文献１】特開２００８−１７１７０３号公報（図２）
【発明の概要】
【発明が解決しようとする課題】
【０００４】
従来の電磁誘導加熱調理器の天面は、方形状の結晶化ガラス製トッププレートの外周部に金属製フレームをシリコン接着剤や両面テープ等で固定する支持構造となっている。このため、結晶化ガラス製トッププレートは、形状が大きくなることから平面度が出にくくなり、また一辺の寸法が大きいことと外周のみ接着剤等で接着固定しているため、強度的にも弱く、さらには調理中誤って鍋等をトッププレート上に落とし割れるといった問題も発生している。
また、接着部分が剥がれるという問題もあった。さらに、形状が大きいためコストも高くなり、そのうえ重量も重くなることからトッププレートが割れて修理する場合は時間がかかり、交換部品も高額になるという問題もあった。
【０００５】
本発明は、上記のような課題に鑑みてなされたもので、トッププレートを分割して大きさを小さくすることで重量を軽くし、組立性の向上とコスト低減を図った電磁誘導加熱調理器を提供することを目的とする。
【課題を解決するための手段】
【０００６】
本発明に係る電磁誘導加熱調理器は、調理器具を載置するトッププレートと、前記トッププレートを固定支持するフレームと、前記トッププレートの下方に前記調理器具を誘導加熱する誘導加熱コイルとを備え、
前記トッププレートは、個々に分割されており、分割された各トッププレートが前記誘導加熱コイルを含む加熱コイルごとに配置され、前記フレームに固定支持されている構成としたものである。
【発明の効果】
【０００７】
本発明の電磁誘導加熱調理器は、上記のように、個々に分割されたトッププレートを加熱コイルごとに配置しフレームに固定支持する構成であるので、従来のメリットである天面フラット性の持つ清掃性、外観性を損なうことなくトッププレートの重量を軽くすることができ、組立や取り扱いが容易でかつコストを低減できるという効果がある。
【図面の簡単な説明】
【０００８】
【図１】本発明の実施の形態１に係る電磁誘導加熱調理器の概略斜視図である。
【図２】実施の形態１のトッププレートの支持構造の断面図である。
【図３】実施の形態２のトッププレートの支持構造の断面図である。
【図４】実施の形態３のトッププレートの支持構造の断面図である。
【図５】実施の形態４のトッププレートの支持構造の断面図である。
【発明を実施するための形態】
【０００９】
以下、本発明の電磁誘導加熱調理器について図面を参照して詳細に説明する。
【００１０】
実施の形態１．
本発明の実施の形態１に係る電磁誘導加熱調理器１００は、外観を図１に概略斜視図で示すように、箱型に構成された本体１と、本体１の天面に備えられ鍋やフライパン等の調理器具（図示省略）を載置する結晶化ガラス製のトッププレート２と、トッププレート２を固定支持する金属製のフレーム３とを備えている。トッププレート２の下方には、調理器具を誘導加熱する誘導加熱コイル４ａ、４ｂが左右二口として配置されている。さらにトッププレート２の下方の中央部奥側には一口のラジエントヒーター４ｃが設けられている。ラジエントヒーター４ｃは、調理器具が誘導加熱に適しない材料、たとえばアルミニウムや銅、陶器等でつくられた鍋等を加熱する電気ヒーターである。以下においては、特に断らない限り、誘導加熱コイル４ａ、４ｂとラジエントヒーター４ｃとを含めて、「加熱コイル４」と総称するものとする。なお、誘導加熱コイルの個数は上記に限定されるものではなく、少なくとも一つあればよい。また、ラジエントヒーターが無く誘導加熱コイルのみで構成される場合もある。
【００１１】
ここで、トッププレート２は、個々に分割されており、分割された各トッププレート２が誘導加熱コイル４ａ、４ｂおよびラジエントヒーター４ｃのそれぞれに配置され、ステンレス等からなる金属製のフレーム３に固定支持されている。すなわち、本実施の形態１では合計３個のトッププレート２が加熱コイル４ごとに配置されている。そして、各トッププレート２の周囲は金属製のフレーム３で囲われた形態となっている。なお、加熱コイル４の外径は２０ｃｍ程度であり、個々のトッププレート２の外径はコイル外径よりも多少大きく、最大２６ｃｍとなっている。
【００１２】
フレーム３の上面手前側には、天面操作が可能な操作パネル部５が設けられており、操作パネル部５は、表面がフレーム３の上面とほぼフラットになるように設けられている。操作パネル部５は、液晶表示装置やＬＥＤなどで構成され、運転時の設定内容や運転状態の内容等をあらわす表示及びスイッチ類を設けたものである。誘導加熱コイル４ａ、４ｂやラジエントヒーター４ｃの火力（加熱量）調節等はこの操作パネル部５で操作される。
【００１３】
図２は、上記のように分割された一つのトッププレート２の支持構造を示すフレーム３の断面図をあらわしたものである。
フレーム３には、トッププレート２を取り付けるための凹部６が複数箇所（本例では３箇所）形成されている。凹部６の底部には加熱コイル４の外径が入る程度の穴（コイル挿入穴）７が設けられている。トッププレート２は、フレーム３の凹部６内にシリコーン等の耐熱性樹脂からなるリング状の緩衝部材８を介して圧入して取り付ける。
【００１４】
本実施の形態１によれば、上記のように、トッププレート２は、個々に分割することにより、大きさを小さくしているので、重量を軽くすることができ、また平面度を容易かつ高精度に出すことができる。そのため、組立時の取り扱いを容易にするとともに、コストも安価にすることができる。
さらに、トッププレート２を、フレーム３の凹部６内に、リング状の緩衝部材８を介して圧入状態で嵌合することで、トッププレート２がフレーム３から外れることがなく、またトッププレート２に衝撃が加わった場合にも衝撃を吸収することができ、トッププレート２が割れたりすることを防止することができる。
【００１５】
また、トッププレート上面２ａは、フレーム上面３ａより若干高くなるように形成されており、その段差寸法の間に緩衝部材上面８ａが位置するように形成されている。すなわち、緩衝部材上面８ａは、トッププレート上面２ａと同じかそれよりも低く、かつ、フレーム上面３ａと同じかそれよりも高い位置に設けるものである。
このような各上面２ａ、８ａ、３ａの高さの寸法関係とすることで、天面のフラット感を損なうことなく緩衝部材８が意匠面表面に出ない構成にすることができ、かつ清掃性のメリットを保持することができる。
【００１６】
実施の形態２．
図３は、実施の形態２のトッププレート２の支持構造を示すフレーム３の断面図である。本実施の形態２は、緩衝部材８Ａが垂直部と水平部を有するＬ型断面のリング状に形成されている点が実施の形態１と相違するだけである。その他の構成は実施の形態１と同じであるので、同じ構成要素には同一符号を用いてあらわすものとする。
本実施の形態２では、実施の形態１と同様に、トッププレート２をフレーム３の凹部６内にリング状の緩衝部材８Ａを介して圧入して取り付けるものであるが、緩衝部材８Ａがトッププレート２の外周面と下面に接する垂直部と水平部とを有するＬ型断面のリング状に形成されているので、実施の形態１よりもさらにトッププレート２に衝撃が加わった場合の衝撃吸収効果が高いものとなる。
【００１７】
実施の形態３．
図４は、実施の形態３のトッププレート２の支持構造を示すフレーム３の断面図である。本実施の形態３は、フレーム３に、鍋等の調理器具２００の外周より広い位置に、吹きこぼれ受けとなる凸部９を環状に設けた点が実施の形態１、２と相違する。その他の構成は実施の形態１、２と同じであるので、同じ構成要素には同一符号を用いてあらわすものとする。
従来のようにトッププレートが大きく一体の場合は、部分的に凸部を設けることは不可能であるが、本実施の形態３のように複数に分割されたトッププレート２の場合は、凸部を設けることが可能となる。本実施の形態３では、調理中に煮汁等が調理器具２００から吹きこぼれた場合、フレーム３に設けられた環状の凸部９によって、煮汁等の吹きこぼれの広がりを防ぐことができるので、汚れの範囲が限定的となるため清掃が容易となる。
なお、吹きこぼれ受けとなる凸部９は、すべての加熱コイル４に設けてもよいし、火力の大きい主要な誘導加熱コイルのみに設けてもよい。
【００１８】
実施の形態４．
図５は、実施の形態４のトッププレート２の支持構造を示すフレーム３の断面図である。本実施の形態４は、トッププレート２を凹面状に形成して、調理器具２００の据わりをよくしたものである。その他の構成は実施の形態１〜３と同じであるので、同じ構成要素には同一符号を用いてあらわすものとする。
従来のようにトッププレートが大きく一体の場合は不可能であるが、本実施の形態４のように複数に分割されたトッププレート２の場合は、凹面状に形成することが可能となる。これにより、調理器具２００を凹面状のトッププレート２上に安定して載置することができる。
【００１９】
なお、凹面上に形成したトッププレート２は必ずしもすべての加熱コイル４に設ける必要はない。また、不安定なのは調理器具２００の底の形状が凸面状になっているものであるので、トッププレート２を凸面状にする必要性はない。
【００２０】
次に、トッププレート２が割れるなどして修理する場合について説明する。この場合は、以上のすべての実施の形態１〜４に共通するので、実施の形態１の場合について説明する。
【００２１】
まず、フレーム３を本体１から外し、フレーム３の下側からトッププレート２を押してフレーム３から外す。そして、本体１内を清掃した後、再びフレーム３を本体１に取り付け、上側から新品のトッププレート２を新品の緩衝部材８と共に圧入すれば修理は完了となる。
【００２２】
従来の構造では、トッププレートの一部が破損しただけでも全体を交換する必要があったので、ユーザーにも高額な修理費用が発生したが、本実施の形態によれば、破損した部分のトッププレートのみを交換すればよく、修理時間が短縮されるとともに修理部品も安価にできるためトータルの修理費用が安価になるという効果がある。
【００２３】
なお、本発明は、キッチン組み込み型（ビルトイン型）またはキッチン据え置き型のいずれの電磁誘導加熱調理器にも適用することができるものである。
【符号の説明】
【００２４】
１  本体、２  トッププレート、３  フレーム、４  加熱コイル、４ａ、４ｂ  誘導加熱コイル、４ｃ  ラジエントヒーター、５  操作パネル部、６  凹部、７  コイル挿入穴、８、８Ａ  緩衝部材、９  凸部、１００  電磁誘導加熱調理器、２００  調理器具。
【図１】
2010218725.tif 000003
【図２】
2010218725.tif 000004
【図３】
2010218725.tif 000005
【図４】
2010218725.tif 000006
【図５】
2010218725.tif 000007